(57)【要約】本発明は、骨髓抽出器に関するものであり、上下に連通形成されるケースの先端部と後側部に各々破砕刃と係止溝を形成して外部針棒を構成し、前記外部針棒には本体の先端部と後側部に各々破砕刃と連結部が形成され、本体の外周面に係止レバーが突出形成された内部針棒を挿着し、前記内部針棒は前記係止溝に係止レバーが挿入されると、前記本体の先端部がケースの先端部に突出形成されるように構成され、前記連結部と結合される駆動手段のヘッドの作動時、前記内部針棒と外部針棒は回転作動を通じて骨を一緒に破砕し、前記骨の破砕後には外部針棒はそのままおいた状態で内部針棒だけを除去した後注射式で骨髓を吸入抽出するようにしたことを特徴とする。2012509095.tif 000003
2012509095.tif 000002
【特許請求の範囲】
【請求項１】
上下に連通形成されるケースの先端部と後側部に各々破砕刃と係止溝を構成した外部針棒と、
本体の先端部と後端部に各々破砕刃と連結部が形成され、かつ前記外部針棒に挿入装着された内部針棒と
を備える、骨髓抽出器であって、
前記内部針棒は、本体の外周面に突出形成されかつ前記係止溝に係合された係止レバーを備えて前記外部針棒と共に回転すること
を特徴とする、骨髓抽出器。
【請求項２】
前記係止溝に係止レバーが挿入される際に、前記内部針棒の前記本体の先端部が、前記外部針棒のケースの先端部に一定な楔状をなすように突出形成されて構成されることを特徴とする、請求項１に記載の骨髓抽出器。
【請求項３】
前記外部針棒の先端部と前記内部針棒の先端部の外周面の破砕刃は、螺旋状に形成されることを特徴とする、請求項１に記載の骨髓抽出器。
【請求項４】
前記係止レバーが挿入される外部針棒の係止溝は、‘Ｌ’字状で貫通形成され、一定角度で外部針棒に対して内部針棒が回動自由になることを特徴とする、請求項１に記載の骨髓抽出器。
【請求項５】
前記上下に連通形成されるケース２１は中空形状で先端部２２の直径は小さくて後側部２４の直径は大きい円筒状に形成され、中間部分にはレンチ、スパナなどを利用して前記ケース２１を回転作動させることができるように多角形回転部２１ａが形成されることを特徴とする、請求項１に記載の骨髓抽出器。
【発明の詳細な説明】
【技術分野】
【０００１】
技術分野
本発明は、骨髓抽出器に関し、より詳しくは、骨を破砕した後骨に内在されている骨髓液を抽出できるようにした骨髓抽出器に関する。
【背景技術】
【０００２】
背景技術
一般的に、骨髓液は骨髓穿刺針(ｂｏｎｅ ｍａｒｒｏｗ ｐｕｎｃｔｕｒｅ ｎｅｅｄｌｅ)を用、腸骨(ｉｌｉｕｍ)を手動で穿刺して採取する。
【０００３】
このような種類の骨髓穿刺針は、管状の外套(ｍａｎｔｌｅ)内に内針(ｉｎｎｅｒ ｎｅｅｄｌｅ)を挿着すると共に、内針の先端を外套から突出させて構成する。
【０００４】
そして、外套にハンドルを取り付けた骨髓穿刺針を皮膚を貫通して骨に刺し、針先が骨髓に達すれば内針だけを引き抜いて外套を骨髓に留置するようにして使用される。
【０００５】
この骨髓穿刺針を用いた骨髓液の採取方法としては、通常、吸引法が用いられる。この吸引法は、骨髓穿刺針の外套をシリンジ(ｓｙｒｉｎｇｅ)に接続し、吸引力により骨髓液を採取する方法である。
【０００６】
ところが、この方法では、一箇所で採取される骨髓液の量が数ミリリットルと少ないため、多数箇所を穿刺して骨髓液を採取する必要があるので、末梢血が多量混入し同種の骨髓移植に使用する場合にはＧＶＨＤ(Ｇｒａｆｔ Ｖｅｒｓｕｓ Ｈｏｓｔ Ｄｉｓｅａｓｅ)の危険性が高く、免疫抑制療法が必須になる。
【０００７】
そこで、これら問題を解決するために骨髓灌流法が開発された。骨髓灌流法では、滅菌した生理食塩水などの灌流液を利用して骨髓をゆっくりと灌流するために、２本の骨髓針を骨髓に留置する。
【０００８】
一方の骨髓針に骨髓採取セットを連結し、このセットの骨髓液採取バックに注射用シリンジや輪液ポンプのチューブを連結吸引する。
【０００９】
また、他方の骨髓針に連結された灌流液引入シリンジを通じて灌流液をゆっくりと骨髓の中に注入し、骨髓液を洗い流すようにして採取用セットに必要な量の骨髓液を短時間に採取する。このようにして採取された骨髓液は骨髓移植だけではなく、再生医療などにも利用することができる。
【００１０】
しかし、従来から採用されている骨髓穿刺針は、ハンドルを用いて手動で骨に挿入する構成として、穿刺速度などの側面で骨髓灌流法に用いるのは適当ではない。
【００１１】
そこで、強力な回転力が得られる電動ドリルを用い、骨髓針で短時間に掘削穿孔する方法が望まれる。これのため、ドリルの刃を具備した内針及び先端に角度を有する刃を具備し、ギア減速器具を通じて内針の回転に対して減速回転される外套からなる骨髓針が提案されている(ＷＯ２００３/０１５６３７号パンフレット(特許文献１))。
【００１２】
しかし、前記骨髓針は、骨の破砕時に残余物が体内に流入される恐れがあるだけでなく、骨髓抽出部位に位置した骨や身体などが損傷される問題点があった。
【先行技術文献】
【特許文献】
【００１３】
【特許文献１】ＷＯ２００３/０１５６３７号パンフレット
【発明の概要】
【００１４】
発明の開示
技術的解決課題
したがって、本発明は前述のような問題点を解決すべくなされたものであって、その目的は、骨を破砕しながら侵透する内部針棒と、前記内部針棒が挿着され骨を破砕しながら骨髓を抽出する外部針棒と、で骨髓抽出器を構成することで、骨髓抽出時に骨髓区域に位置した骨や身体の損傷を最大限に減らすことにある。
【００１５】
技術的解決方法
上述の目的を達成するため、骨髓抽出器において、上下に連通形成されるケースの先端部と後側部に各々は破砕刃と係止溝を形成して外部針棒を構成し、前記外部針棒には、本体の先端部と後側部に各々破砕刃と連結部が形成され本体の外周面には係止レバーが突出形成される内部針棒を挿着し、前記内部針棒は、前記係止溝に係止レバーが挿入されると、前記本体の先端部がケースの先端部に突出形成されるように構成され、前記連結部と結合される駆動手段のヘッドの作動時、前記内部針棒と外部針棒は回転動作を通じて骨を一緒に破砕し、前記骨の破砕後には外部針棒はそのままおいた状態で内部針棒だけを除去してから注射式で骨髓を吸入抽出するようにしたことを特徴とする。
【００１６】
有利な効果
本発明によれば、骨を破砕しながら侵透する内部針棒と、前記内部針棒が挿着されて骨を破砕しながら骨髓を抽出する外部針棒と、で骨髓抽出器を構成することにより、骨髓抽出時に骨髓区域に位置した骨や身体の損傷を最小化することができる。
【００１７】
また、前記内部針棒と外部針棒に形成される破砕刃が螺旋形に形成されて骨の破砕時に負荷を最小化することができる。
【００１８】
また、前記内部針棒は梯形状で形成される外部針棒の先端部により必要以上挿入されることを防止できるだけではなく、骨髓抽出時に内部針棒を除去した後注射式で骨髓を容易に吸入できる効果がある。
【図面の簡単な説明】
【００１９】
【図１】本発明に係る骨髓抽出器を示す斜視図である。
【図２】本発明に係る骨髓抽出器の外部針棒を示す正面図である。
【図３】本発明に係る骨髓抽出器の内部針棒を示す正面図である。
【図４】本発明に係る骨髓抽出器の結合状態を示す部分断面図である。
【図５】本発明に係る骨髓抽出器の使用状態を示す正面図である。
【図６】本発明に係る骨髓抽出器の使用状態を示す正面図である。
【図７】本発明に係る骨髓抽出器の使用状態を示す正面図である。
【図８】本発明に係る骨髓抽出器の使用状態を示す正面図である。
【符号の説明】
【００２０】
１０：骨髓抽出器、２０：外部針棒、２１：ケース、２２：先端部、２３：破砕刃、２４：後側部、２５：係止溝、３０：内部針棒、３１：本体、３２：先端部、３３：破砕刃、３４：後端部、３５：連結部、３６：係止レバー、４０：駆動手段のヘッド
【発明を実施するための形態】
【００２１】
発明を実施するための最良の形態
以下、本発明の好ましい実施形態について添付の図面を参照して詳細に説明する。図１は、本発明に係る骨髓抽出器を示す斜視図であり、図２は、本発明に係る骨髓抽出器の外部針棒を示す正面図であり、図３は、本発明に係る骨髓抽出器の内部針棒を示す正面図であり、図４は、本発明に係る骨髓抽出器の結合状態を示す部分断面図である。
【００２２】
本発明の骨髓抽出器１０は、上下に貫通形成される外部針棒２０と、前記外部針棒２０の内部に挿着され回転動作を通じて外部針棒２０と一緒に骨５０を破砕する内部針棒３０と、前記内部針棒３０に回転力を付与するエンジンやモータのような回転駆動力が提供される駆動手段の回転稼動用ヘッド４０と、で構成される。
【００２３】
前記外部針棒２０は、上下に連通形成されるケース２１と、前記ケース２１の先端部２２に形成される破砕刃２３と、前記ケース２１の後側部２４に形成される係止溝２５と、が一体に形成される。
【００２４】
上下に連通形成されるケース２１は、中空形状で先端部２２の直径は小さくて後側部２４の直径は大きい円筒状で形成され、中間部分にはレンチ、スパナなどを利用して前記ケース２１を回転作動させることができるように多角形回転部２１ａが形成される。
【００２５】
この時、前記先端部２２は、骨５０の円滑な破砕のために梯形状に形成され、前記先端部２２に形成される破砕刃２３は、回転作動による破砕時に粉砕物を外部に排出できるように螺旋形に形成される。
【００２６】
また、前記後側部２４に形成される係止溝２５は‘Ｌ’字状で上部先端が外部と連通するように形成され、前記係止溝２５の幅は後述する内部針棒３０の係止レバーの幅より大きく形成される。
【００２７】
すなわち、前記係止溝２５は、上部が連通される垂直部２５ａと前記垂直部２５ａと一体に連通形成される水平部２５ｂが‘Ｌ’字状で係止レバーの幅より大きく形成される。
【００２８】
前記外部針棒２０の内部に挿着される内部針棒３０は、所定の長さを有して形成される本体３１と、前記本体３１の先端部３２に形成される破砕刃３３と、前記本体３１の後端部３４に形成される連結部３５と、前記本体３１の外周面から突出形成される係止レバー３６と、が一体に形成される。
【００２９】
ここで、前記本体３１は所定の長さを有する円柱状に形成される。
【００３０】
また、前記先端部３２は、骨５０の円滑な破砕のために先端部分が鋭利に形成され、外周面に形成される破砕刃３３は、回転動作による破砕時に粉砕物を外部に排出できるように螺旋状に形成される。
【００３１】
そして、前記後端部３４に形成される連結部３５は、前記駆動手段のヘッド４０との結合のために軸形状に形成され、前記本体３１の外周面に形成される係止レバー３６は外部に向けて所定区間が突設される。
【００３２】
前記内部針棒３０に回転力を付与する駆動手段のヘッド４０は、前記内部針棒３０の連結部３５に連結結合されて回転力を伝達できるように正・逆モータやエンジンのような回転駆動力を提供する構成要素を含む。
【００３３】
前記のように構成される骨髓抽出器１０の実施形態を添付図面を参照して説明する。図５〜図８は、本発明に係る骨髓抽出器の使用状態を示した正面図である。
【００３４】
まず、上下に連通形成されるケース２１と、前記ケース２１の先端部２２に形成される破砕刃２３と、前記ケース２１の後側部２４に形成される係止溝２５とと、が一体に形成される外部針棒２０を形成する。
【００３５】
この時、前記破砕刃２３は螺旋状に形成され、前記係止溝２５は‘Ｌ’字状で形成される。
【００３６】
そして、前記外部針棒２０に所定長さで形成される本体３１と、前記本体３１の先端部３２に形成される破砕刃３３と、前記本体３１の後端部３４に形成される連結部３５と、前記本体３１の外周面から突出形成される係止レバー３６と、が一体に形成される内部針棒３０を挿着する。
【００３７】
この時、前記係止溝２５に係止レバー３６が挿入されると、前記本体３１の先端部３２がケース２１の先端部２２に突出形成される。
【００３８】
すなわち、前記内部針棒３０の螺旋形破砕刃３３と外部針棒２０の螺旋形破砕刃２３が連続形成されて回転作動時に骨５０の円滑な破砕と共に粉砕物の円滑な移動を助けるようになる。
【００３９】
次に、前記内部針棒３０の連結部３５と、正・逆回転作動する駆動手段のヘッド４０の接続部と、を装着すれば、骨髓抽出器１０の稼動のための組み立てが完了される。
【００４０】
前記のような状態で骨髓抽出のために前記駆動手段のヘッド４０を作動させると、前記内部針棒３０と外部針棒２０は同一な方向に回転作動しながら骨５０を破砕するようになる。
【００４１】
すなわち、前記内部針棒３０は本体３１に伝達される回転力を前記係止レバー３６を通じて外部針棒２０に伝達することにより一緒に骨５０を破砕することができる。
【００４２】
次に、前記内部針棒３０と外部針棒２０の回転作動を通じて前記骨５０の破砕が完了されると、前記外部針棒２０は身体にそのままおいた状態で内部に装着される内部針棒３０だけを除去した後前記外部針棒２０の下部に開放された空間を通じて注射式で骨髓を抽出吸入する。
【００４３】
産業上の利用可能性
以上のように構成される骨髓抽出器１０の作業を通じて骨髓抽出時に骨髓区域に位置した骨や身体の損傷を最小化しながら骨髓を抽出することができる。
【００４４】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図１】
2012509095.tif 000004
【図２】
2012509095.tif 000005
【図３】
2012509095.tif 000006
【図４】
2012509095.tif 000007
【図５】
2012509095.tif 000008
【図６】
2012509095.tif 000009
【図７】
2012509095.tif 000010
【図８】
2012509095.tif 000011
【国際調査報告】
2012509095.tif 000012
2012509095.tif 000013
2012509095.tif 000014
2012509095.tif 000015